(57)【要約】  マルチ周波数ネットワークにおけるRFチャネル切換えのための方法および装置。ある態様において、方法は、マルチ周波数ネットワークにおけるローカルエリア・オペレーション・インフラストラクチャー（LOI）を識別すること、前記LOIに関連した各RFチャネルに少なくとも1つの解読シーケンス識別子をそれぞれ関連させるチャネル記述メッセージ（CDM）を生成すること、および前記CDMを前記LOI上で配信することを具備している。他の態様において、方法は、LOIにおける利用可能な各無線周波数（RF）チャネルに少なくとも1つの解読シーケンス識別子を関連させるCDMを受信すること、選択されたRFチャネルを識別するRFチャネル切換えイベントを検出すること、前記選択されたRFチャネルに基づいて、前記CDMから、選択された解読シーケンス識別子を決定すること、前記選択されたRFチャネルに切換わること、ここにおいて、前記選択された解読シーケンス識別子は、前記選択されたRFチャネル上で搬送される希望のコンテンツを解読するために、選択された解読シーケンスを識別する、および前記選択されたRFチャネル上で前記希望のコンテンツを獲得することを含んでいる。
2010524344.tif 000002
【特許請求の範囲】
【請求項１】
マルチ周波数ネットワークにおけるRFチャネル切換えのための方法であって、
前記マルチ周波数ネットワークにおけるローカルエリア・オペレーション・インフラストラクチャー（LOI）を識別すること、
前記LOIに関連した各無線周波数（RF）チャネルに少なくとも1つの解読シーケンス識別子をそれぞれ関連させるチャネル記述メッセージ（CDM）を生成すること、および
前記CDMを前記LOI上で配信すること
を具備する方法。
【請求項２】
前記生成することは、
複数のLOIにそれぞれに関連する複数のCDMメッセージを生成すること、および
前記複数のCDMメッセージをそれらに関係するLOIの上で配信すること
を具備する、請求項1に記載の方法。
【請求項３】
前記生成することは、ワイドエリア解読シーケンス識別子（WID）およびローカルエリア解読シーケンス識別子（LID）のうちの少なくとも1つを具備するCDMを生成することを具備する、請求項1に記載の方法。
【請求項４】
マルチ周波数ネットワークにおけるRFチャネル切換えのための装置であって、
前記マルチ周波数ネットワークにおけるローカルエリア・オペレーション・インフラストラクチャー（LOI）を識別し、および前記LOIに関連した各無線周波数（RF）チャネルに少なくとも1つの解読シーケンス識別子をそれぞれ関連させるチャネル記述メッセージ（CDM）を生成するように構成されたメッセージ論理と、および
LOI上でCDMを配信するように構成されている出力論理と
を具備する装置。
【請求項５】
前記メッセージ論理は、複数のLOIにそれぞれ関連した複数のCDMメッセージを生成するように構成されている、請求項4に記載の装置。
【請求項６】
前記出力論理は、前記複数のCDMメッセージをそれらに関連したLOI上で配信するように構成されている、請求項5に記載の装置。
【請求項７】
前記メッセージ論理は、ワイドエリア解読シーケンスシーケンス識別子（WID）およびローカルエリア解読シーケンス識別子（LID）のうちの少なくとも1つを具備する前記CDMを生成するように構成されている、請求項4に記載の装置。
【請求項８】
マルチ周波数ネットワークにおけるRFチャネル切換えのための装置であって、
前記マルチ周波数ネットワークにおけるローカルエリア・オペレーション・インフラストラクチャー（LOI）を識別する手段、
前記LOIに関連した各々の無線周波数（RF）チャネルに少なくとも1つの解読シーケンス識別子をそれぞれ関連させるチャネル記述メッセージ（CDM）を生成する手段、および
前記LOI上で前記CDMを配信する手段
を具備する装置。
【請求項９】
前記生成手段は、
複数のLOIにそれぞれに関連した複数のCDMメッセージを生成する手段、および
前記複数のCDMメッセージをそれらの関連したLOI上で配信する手段
を具備する、請求項8に記載の装置。
【請求項１０】
前記生成手段は、ワイドエリア解読シーケンス識別子（WID）およびローカルエリア解読シーケンス識別子（LID）のうちの少なくとも1つを具備する前記CDMを生成する手段を具備する、請求項8に記載の装置。
【請求項１１】
マルチ周波数ネットワークにおけるRFチャネル切換えのためのコンピュータプログラム製品であって、
前記マルチ周波数ネットワークにおけるローカルエリア・オペレーション・インフラストラクチャー（LOI）を識別し、および前記LOIに関連した各無線周波数（RF）チャネルに少なくとも1つの解読シーケンス識別子をそれぞれ関連させるチャネル記述メッセージ（CDM）を生成することをコンピュータにさせるために第1のコードセット、および
前記CDMを前記LOI上で配信することを前記コンピュータにさせるための第2にコードセット
を具備する機械可読媒体を具備するコンピュータプログラム製品。
【請求項１２】
前記第1のコードセットは、複数のLOIにそれぞれ関連した複数のCDMメッセージを生成することを前記コンピュータにさせるように構成されている、請求項11に記載の機械可読媒体。
【請求項１３】
前記第2のコードセットは、前記複数のCDMメッセージをそれらの関連するLOI上で配信することを前記コンピュータにさせるように構成されている、請求項12に記載の機械可読媒体。
【請求項１４】
前記第1のコードセットは、ワイドエリア解読シーケンス識別子（WID）およびローカルエリア解読シーケンス識別子（LID）のうちの少なくとも1つを具備する前記CDMを生成するように構成されている、請求項11に記載の機械可読媒体。
【請求項１５】
マルチ周波数ネットワークにおけるRFチャネル切換えを実行するように構成されている少なくとも1つの集積回路であって、
前記マルチ周波数ネットワークにおけるローカルエリア・オペレーション・インフラストラクチャー（LOI）を識別し、および前記LOIに関連した各無線周波数（RF）チャネルに少なくとも1つの解読シーケンス識別子をそれぞれ関連させるチャネル記述メッセージ（CDM）を生成するように構成されている第1のモジュール、および
前記CDMを前記LOI上で配信するように構成されている第2のモジュール
を具備する少なくとも1つの集積回路。
【請求項１６】
前記第1のモジュールは、複数のLOIにそれぞれ関連した複数のCDMメッセージを生成するように構成されている、請求項15に記載の少なくとも1つの集積回路。
【請求項１７】
前記第2のモジュールは、前記複数のCDMメッセージをそれらの関連したLOI上で配信するように構成されている、請求項16に記載の少なくとも1つの集積回路。
【請求項１８】
前記第1のモジュールは、ワイドエリア解読シーケンス識別子（WID）およびローカルエリア解読シーケンス識別子（LID）のうちの少なくとも1つを具備する前記CDMを生成するように構成されている、請求項15に記載の少なくとも1つの集積回路。
【請求項１９】
マルチ周波数ネットワークにおけるRFチャネル切換えのための方法であって、
ローカルエリア・オペレーション・インフラストラクチャー（LOI）において利用可能な各無線周波数（RF）チャネルに少なくとも1つの解読シーケンス識別子を関連させるチャネル記述メッセージ（CDM）を受信すること、
選択されたRFチャネルを識別するRFチャネル切換えイベントを検出すること、
前記選択されたRFチャネルに基づいて、前記CDMから、選択された解読シーケンス識別子を決定すること、
前記選択されたRFチャネルに切換わること、ここにおいて、前記選択された解読シーケンス識別子は、前記選択されたRFチャネル上で搬送される希望のコンテンツを解読するために選択された解読シーケンスを識別する、および
前記選択されたRFチャネル上で希望のコンテンツを獲得すること、
を具備する方法。
【請求項２０】
前記受信することは、制御チャネル上で前記CDMを受信することを具備する、請求項19に記載の方法。
【請求項２１】
前記検出することは、前記希望のコンテンツに関するユーザー要求およびプログラム要求のうちの少なくとも1つによって前記RFチャネル切換えがトリガされるとき前記RFチャネル切換えイベントを検出することを具備する、請求項19に記載の方法。
【請求項２２】
前記検出することは、
前記希望のコンテンツを獲得せよという要求を受信すること、および
前記希望のコンテンツに基づいて、前記選択されたRFチャネルを決定すること
を具備する、請求項19に記載の方法。
【請求項２３】
前記選択された解読シーケンス識別子は、ワイドエリアシーケンス識別子（WID）およびローカルエリア・シーケンス識別子（LID）のうちの少なくとも1つを具備する、請求項19に記載の方法。
【請求項２４】
前記獲得することは、：
制御チャネルはまだ更新されていない、と決定すること、および
前記選択された解読シーケンス識別子によって識別される前記選択された解読シーケンスを使用して、前記希望のコンテンツを獲得すること、
を具備する、請求項19に記載の方法。
【請求項２５】
前記獲得することは、
制御チャネルはすでに更新されている、と決定すること、
更新されたCDMメッセージを受信すること、
前記希望のコンテンツを搬送する更新されたRFチャネルを決定すること、
前記更新されたRFチャネルに基づいて、前記更新されたCDMから、第2の選択された解読シーケンス識別子を決定すること、および
前記第2の選択された解読シーケンス識別子によって識別される第2の選択された解読シーケンスを使用して、前記更新されたRFチャネル上で前記希望のコンテンツを獲得すること
を具備する、請求項19に記載の方法。
【請求項２６】
マルチ周波数ネットワークにおけるRFチャネル切換えのための装置であって、
ローカル・オペレーション・インフラストラクチャー（LOI）において利用可能な各無線周波数（RF）チャネルに少なくとも1つの解読シーケンス識別子を関連させるチャネル記述メッセージ（CDM）を受信するように構成されている入力論理、
選択されたRFチャネルを識別するRFチャネル切換えイベントを検出するように構成されている処理論理、
前記選択されたRFチャネルに基づいて、前記CDMから、選択された解読シーケンス識別子を決定するように構成されているメッセージ論理、および
前記選択されたRFチャネルに切換わるように構成されているチャネル切換え論理、ここにおいて、前記選択された解読シーケンス識別子は、前記選択されたRFチャネル上で搬送される希望のコンテンツを解読するため、および前記選択されたRFチャネル上で前記希望のコンテンツを獲得するために、選択された解読シーケンスを識別する、
を具備する装置。
【請求項２７】
前記入力論理は、前記CDMを制御チャネル上で受信するように構成されている、請求項26に記載の装置。
【請求項２８】
前記処理論理は、前記希望のコンテンツに関するユーザー要求およびプログラム要求のうちの少なくとも1つによって前記RFチャネル切換えがトリガされるとき前記RFチャネル切換えイベントを検出するように構成されている、請求項26に記載の装置。
【請求項２９】
前記処理論理は、前記希望のコンテンツを獲得せよという要求を受信し、かつ前記希望のコンテンツに基づいて、前記選択されたRFチャネルを決定するように構成されている、請求項26に記載の装置。
【請求項３０】
前記選択された解読シーケンス識別子は、ワイドエリア・シーケンス識別子（WID）およびローカルエリア・シーケンス識別子（LID）のうちの少なくとも1つを具備する、請求項26に記載の装置。
【請求項３１】
マルチ周波数ネットワークにおけるRFチャネル切換えのための装置であって、
ローカル・オペレーション・インフラストラクチャー（LOI）における利用可能な各無線周波数（RF）チャネルに少なくとも1つの解読シーケンス識別子を関連させるチャネル記述メッセージ（CDM）を受信する手段、
選択されたRFチャネルを識別するチャネル切換えイベントを検出する手段、
前記選択されたRFチャネルに基づいて、前記CDMから、選択された解読シーケンス識別子を決定する手段、
前記選択されたRFチャネルに切換わるための手段、ここにおいて、前記選択された解読シーケンス識別子は、前記選択されたRFチャネル上で搬送される希望のコンテンツを解読するために、選択された解読シーケンスを識別する、および
前記選択されたRFチャネル上で前記希望のコンテンツを獲得する手段
を具備する装置。
【請求項３２】
前記受信手段は、前記CDMを制御チャネル上で受信する手段を具備する、請求項31に記載の装置。
【請求項３３】
前記検出手段は、前記希望のコンテンツに関するユーザー要求およびプログラム要求のうちの少なくとも1つによって前記チャネル切換えがトリガされるとき前記チャネル切換えイベントを検出する手段を具備する、請求項31に記載の装置。
【請求項３４】
前記検出手段は、
前記希望のコンテンツを獲得せよとの要求を受信する手段、および
前記希望のコンテンツに基づいて、前記選択されたRFチャネルを決定する手段
を具備する、請求項31に記載の装置。
【請求項３５】
前記選択された解読シーケンス識別子は、ワイドエリア・シーケンス識別子（WID）およびローカルエリア・シーケンス識別子（LID）のうちの少なくとも1つを具備する、請求項31に記載の装置。
【請求項３６】
前記獲得手段は、
制御チャネルはまだ更新されていない、と決定する手段、および
前記選択された解読シーケンス識別子によって識別される前記選択された解読シーケンスを使用して、前記希望のコンテンツを獲得する手段
を具備する、請求項31に記載の装置。
【請求項３７】
前記獲得手段は、
制御チャネルはすでに更新されている、と決定する手段、
更新されたCDMメッセージを受信する手段、
前記希望のコンテンツを搬送する更新されたRFチャネルを決定する手段、
前記更新されたRFチャネルに基づいて、前記更新されたCDMから、第2の選択された解読シーケンス識別子を決定する手段、および
前記第2の選択された解読シーケンス識別子によって識別される第2の選択された解読シーケンスを使用して、前記更新されたRFチャネル上で前記希望のコンテンツを獲得する手段
を具備する、請求項31に記載の装置。
【請求項３８】
マルチ周波数ネットワークにおけるRFチャネル切換えのためのコンピュータプログラム製品であって、
ローカル・オペレーション・インフラストラクチャー（LOI）における利用可能な各無線周波数（RF）チャネルに少なくとも1つの解読シーケンス識別子を関連させるチャネル記述メッセージ（CDM）を受信することをコンピュータにさせるための第1のコードセット、
選択されたRFチャネルを識別するRFチャネル切換えイベントを検出することをコンピュータにさせるための第2のコードセット、
前記選択されたRFチャネルに基づいて、前記CDMから、選択された解読シーケンス識別子を決定することをコンピュータにさせるための第3のコードセット、
前記選択されたRFチャネルに切換わることをコンピュータにさせるための第4のコードセット、ここにおいて、前記選択された解読シーケンス識別子は、前記選択されたRFチャネル上で搬送される希望のコンテンツを解読するために、選択された解読シーケンスを識別する、および
前記選択されたRFチャネル上で希望のコンテンツを獲得することをコンピュータにさせるための第5のコードセット
を具備する機械可読媒体を具備するコンピュータプログラム製品。
【請求項３９】
前記第1のコードセットは、前記CDMを制御チャネル上で受信することをコンピュータにさせるように構成されている、請求項38に記載の機械可読媒体。
【請求項４０】
前記第2のコードセットは、前記希望のコンテンツに関するユーザー要求およびプログラム要求のうちの少なくとも1つによって前記チャネル切換えがトリガされるとき前記チャネル切換えイベントを検出することをコンピュータにさせるように構成されている、請求項38に記載の機械可読媒体。
【請求項４１】
前記第2のコードセットは、前記希望のコンテンツを獲得せよとの要求を受信し、前記希望のコンテンツに基づいて、前記選択されたRFチャネルを決定することをコンピュータにさせるように構成されている、請求項38に記載の機械可読媒体。
【請求項４２】
前記選択された解読シーケンス識別子は、ワイドエリア・シーケンス識別子（WID）およびローカルエリア・シーケンス識別子（LID）のうちの少なくとも1つを具備する、請求項38に記載の機械可読媒体。
【請求項４３】
前記第5のコードセットは、
制御チャネルはまだ更新されていない、と決定すること、および
前記選択された解読シーケンス識別子によって識別される前記選択された解読シーケンスを使用して、前記希望のコンテンツを獲得すること
をコンピュータにさせるように構成されている、請求項38に記載の機械可読媒体。
【請求項４４】
前記第5のコードセットは、
制御チャネルはすでに更新されている、と決定すること、
更新されたCDMメッセージを受信する；
前記希望のコンテンツを搬送する更新されたRFチャネルを決定すること、
前記更新されたRFチャネルに基づいて、前記更新されたCDMから第2の選択された解読シーケンス識別子を決定すること、および
前記第2の選択された解読シーケンス識別子によって識別される第2の選択された解読シーケンスを使用して、前記更新されたRFチャネル上で前記希望のコンテンツを獲得すること
をコンピュータにさせるように構成されている、請求項38に記載の機械可読媒体。
【請求項４５】
マルチ周波数ネットワークにおけるRFチャネル切換えのための方法を実行するように構成されている少なくとも1つの集積回路であって、
ローカル・オペレーション・インフラストラクチャー（LOI）における利用可能な各無線周波数（RF）チャネルに少なくとも1つの解読シーケンス識別子を関連させるチャネル記述メッセージ（CDM）を受信するように構成されている第1のモジュール、
選択されたRFチャネルを識別するチャネル切換えイベントを検出するように構成されている第2のモジュール、
前記選択されたRFチャネルに基づいて、前記CDMから、選択された解読シーケンス識別子を決定するように構成されている第3のモジュール、
前記選択されたRFチャネルに切換わるように構成されている第4のモジュール、ここにおいて、前記選択された解読シーケンス識別子は、前記選択されたRFチャネル上で搬送される希望のコンテンツを解読するために、選択された解読シーケンスを識別する、および
前記選択されたRFチャネル上で前記希望のコンテンツを獲得するように構成されている第5のモジュール、
を具備する少なくとも1つの集積回路。
【請求項４６】
前記第1のモジュールは、前記CDMを制御チャネル上で受信するように構成されている、請求項45に記載の少なくとも1つの集積回路。
【請求項４７】
前記第2のモジュールは、前記希望のコンテンツに関するユーザー要求およびプログラム要求のうちの少なくとも1つによって前記チャネル切換えがトリガされるとき前記チャネル切換えイベントを検出するように構成されている、請求項45に記載の少なくとも1つの集積回路。
【請求項４８】
前記第2のモジュールは、前記希望のコンテンツを獲得せよとの要求を受信し、前記希望のコンテンツに基づいて、前記選択されたRFチャネルを決定するように構成されている、請求項45に記載の少なくとも1つの集積回路。
【請求項４９】
前記選択された解読シーケンス識別子は、ワイドエリア・シーケンス識別子（WID）およびローカルエリア・シーケンス識別子（LID）のうちの少なくとも1つを具備する、請求項45に記載の少なくとも1つの集積回路。
【請求項５０】
前記第5のモジュールは、
制御チャネルはまだ更新されていないと決定し、および
前記選択された解読シーケンス識別子によって識別される前記選択された解読シーケンスを使用して、前記希望のコンテンツを獲得する
ように構成されている、請求項45に記載の少なくとも1つの集積回路。
【請求項５１】
前記第5のモジュールは、
制御チャネルはすでに更新されていると決定し、
更新されたCDMメッセージを受信し、
前記希望のコンテンツを搬送する更新されたRFチャネルを決定し、
前記更新されたRFチャネルに基づいて、前記更新されたCDMから第2の選択された解読シーケンス識別子を決定し、および
前記第2の選択された解読シーケンス識別子によって識別される第2の選択された解読シーケンスを使用して、前記更新されたRFチャネル上で前記希望のコンテンツを獲得する
ように構成されている、請求項45に記載の少なくとも1つの集積回路。
【発明の詳細な説明】
【関連出願の参照】
【０００１】
本件特許出願は、「Methods and Apparatus for Providing RF Switch in a Multiple Frequency Network」という名称の2007年3月4日付けの米国仮出願第60/909,931号に基づいて優先権を請求するものであって、本件特許出願の被譲渡人に譲渡され、参照によって本件明細書に明白に組み込まれている。
【技術分野】
【０００２】
本件出願は、一般にデータネットワークのオペレーションに関係し、より詳細にはマルチ周波数ネットワークにおけるRFチャネル切換えのための方法および装置に関係する。
【背景技術】
【０００３】
ワイヤレス通信ネットワークのようなデータネットワークは、一つの端末のために特化されるサービスと、多くの端末に提供されるサービスとの間で、トレードオフを実現しなければならない。例えば、リソースに制限のある多数の携帯デバイス（加入者）にマルチメディアコンテンツを配信することは、複雑な問題である。したがって、ネットワークオペレータ、コンテンツ小売業者、およびサービスプロバイダは、コンテンツおよび/またはネットワークサービスを高速・効率的方法でかつ帯域幅の利用性と電力の効率性とを高めるような方法で配信することができる手段を持っていることが重要である。
【０００４】
マルチ周波数ネットワーク（MFN）とは、メディアコンテンツを送信するために、マルチの無線周波数（RF）（またはRFチャネル）が使用されるネットワークである。1つのタイプのMFNは、水平型のMFN(HMFN)であって、これは、1つの配信波形が、異なるローカルエリアでは、異なるRFチャネルによって送信されるMFNである。同じまたは異なるコンテンツは、そのようなローカルエリアで、異なるRFチャネルによって搬送される配信波形の一部として送信されることができる。もう1つのタイプのMFNは、垂直型のMFNであって、これは、ネットワークキャパシティ（1つのデバイス/端末ユーザーに、より多くのコンテンツを配給できる能力という観点でのキャパシティ）を高める目的をもって、独立した配信波形を送信するために、与えられたローカルエリアにおいてマルチの無線周波数（RF）チャネルが使用されるところのMFNである。MFNの配備は、あるエリアではVMFNから構成され、その他のエリアではHMFNから構成されるものであってもよい。
【０００５】
典型的なVMFNにおいて、ローカルエリア・オペレーション・インフラストラクチャー（LOI）は、選択された地理的エリアにおいてマルチのRFチャネル上でマルチの配信波形を送信すべく作動する送信サイトを具備する。各配信波形は、レンダリング（一般にデータの可視化）のために受信デバイスにおいて選択されることができる1つまたは複数のコンテンツフローを具備してもよい。隣接したLOIは、同じまたは異なるRFチャネルを利用してもよい。
【０００６】
従来のシステムでは、ある受信デバイスが、与えられたLOIにおいて、第1のRFチャネル（RF1）から第2のRFチャネル（RF2）へ切換わろうと試みるとき、不幸にして、スプリアスなRFチャネル切換えが行われる可能性がある。例えば、あるデバイスが、希望のコンテンツフローを受信するために第2のRFチャネルへ切換わろうとするとき、そのデバイスは、同じく第2のRF[チャネル上でコンテンツを送信する隣のLOIに間違って切換わってしまう可能性があるが、そのコンテンツは、現在のLOIにおいて送信されるコンテンツとは異なっている。そのデバイスのあるエリアにおいて前記2つのLOIが提供するカバレッジがオーバーラップしていると、隣のLOIからの第2のRFチャネルは、現在のLOIにおいて送信されている第2のRFチャネルより大きな電力で受信される可能性がある。その結果、そのデバイスが、隣のLOIから比較的大きな電力で受信した配信波形を所有しようと試みるので、スプリアスなRFチャネル切換えが生じる可能性がある。しかしながら、これが起きると、隣のLOIが、現在のLOI内で送信されているものとは異なるコンテンツを第2のRFチャネル上で送信するので、そのデバイスは、その配信波形上で希望のコンテンツフローを見つけることができなくなる。
【０００７】
したがって、スプリアスなRFチャネル切換えを低減しまたは除去し、もってマルチ周波数ネットワークにおける高速RFチャネル切換え能力を促進すべく作動するシステムを手に入れることができれば、それが望ましい。
【発明の概要】
【０００８】
1つまたは複数の態様において、切換えシステム（方法および装置を含む）は、スプリアスなRFチャネル切換えを低減または除去するとともに、マルチ周波数ネットワークにおける高速・効率的RFチャネル切換えを提供すべく作動する。
【０００９】
ある態様において、マルチ周波数ネットワークにおけるRFチャネル切換えのための方法が提供される。本方法は、マルチ周波数ネットワークにおけるLOIを識別すること、LOIに関連した各RFチャネルに少なくとも1つの解読シーケンス識別子をそれぞれ関連させるチャネル記述メッセージ（CDM）を生成すること、およびLOI上でCDMを配信することを具備している。
【００１０】
ある態様において、マルチ周波数ネットワークにおけるRFチャネル切換えのための装置が提供される。本装置は、マルチ周波数ネットワークにおけるLOIを識別し、およびLOIに関連した各RFチャネルに少なくとも1つの解読シーケンス識別子をそれぞれ関連させるチャネル記述メッセージ（CDM）を生成するように構成されているメッセージ論理を具備している。本装置は、LOI上でCDMを配信するように構成されている出力論理をさらに具備している。
【００１１】
ある態様において、マルチ周波数ネットワークにおけるRFチャネル切換えのための装置が提供される。本装置は、マルチ周波数ネットワークにおけるLOIを識別する手段、LOIに関連した各RFチャネルに少なくとも1つの解読シーケンス識別子をそれぞれ関連させるチャネル記述メッセージ（CDM）を生成する手段、およびLOI上でCDMを配信する手段を具備している。
【００１２】
ある態様において、マルチ周波数ネットワークにおけるRFチャネル切換えのためのコンピュータプログラム製品が提供される。本コンピュータプログラム製品は、マルチ周波数ネットワークにおけるLOIを識別し、およびLOIに関連した各RFチャネルに少なくとも1つの解読シーケンス識別子をそれぞれ関連させるチャネル記述メッセージ（CDM）を生成することをコンピュータにさせるための第1のコードセットを具備する機械可読媒体を具備している。本コンピュータプログラム製品はまた、LOI上でCDMを配信することをコンピュータにさせるための第2のコードセットも具備している。
【００１３】
ある態様において、マルチ周波数ネットワークにおけるRFチャネル切換えを行なうように構成されている少なくとも1つの集積回路が提供される。この少なくとも1つの集積回路は、マルチ周波数ネットワークにおけるLOIを識別し、およびLOIに関連した各RFチャネルに少なくとも1つの解読シーケンス識別子をそれぞれ関連させるチャネル記述メッセージ（CDM）を生成するように構成されている第1のモジュールを具備している。この少なくとも1つの集積回路はまた、LOI上でCDMを配信することのために構成されている第2のモジュールも具備している。
【００１４】
ある態様において、マルチ周波数ネットワークにおけるRFチャネル切換えのための方法が提供される。本方法は、LOI内で利用可能な各RFチャネルに少なくとも1つの解読シーケンス識別子を関連させるCDMを受信すること、選択されたRFチャネルを識別するRFチャネル切換えイベントを検出すること、選択されたRFチャネルに基づいて、CDMから、選択された解読シーケンス識別子を決定すること、選択されたRFチャネルに切換わること、ここにおいて、選択された解読シーケンス識別子は、選択されたRFチャネル上で搬送される希望のコンテンツを解読するために、選択された解読シーケンスを識別する、および選択されたRFチャネル上で希望のコンテンツを獲得することを具備している。
【００１５】
ある態様において、マルチ周波数ネットワークにおけるRFチャネル切換えのための装置が提供される。本装置は、LOI内で利用可能な各RFチャネルに少なくとも1つの解読シーケンス識別子を関連させるCDMを受信するように構成されている入力論理、および選択されたRFチャネルを識別するRFチャネル切換えイベントを検出するように構成されている処理論理を具備している。本装置はまた、選択されたRFチャネルに基づいて、CDMから、選択された解読シーケンス識別子を決定するように構成されているメッセージ論理、および選択されたRFチャネルに切換わること、ここにおいて、選択された解読シーケンス識別子は、選択されたRFチャネル上で搬送される希望のコンテンツを解読するために、選択された解読シーケンスを識別する、および選択されたRFチャネル上で希望のコンテンツを獲得することを行うように構成されているチャネル切換え論理も具備している。
【００１６】
ある態様において、マルチ周波数ネットワークにおけるRFチャネル切換えのための装置が提供される。本装置は、LOI内で利用可能な各RFチャネルに少なくとも1つの解読シーケンス識別子を関連させるCDMを受信する手段、および選択されたRFチャネルを識別するRFチャネル切換えイベントを検出する手段を具備している。本装置はまた、選択されたRFチャネルに基づいて、CDMから、選択された解読シーケンス識別子を決定する手段、選択されたRFチャネルに切換わるための手段、ここにおいて、選択された解読シーケンス識別子は、選択されたRFチャネル上で搬送される希望のコンテンツを解読するために、選択された解読シーケンスを識別する、および選択されたRFチャネル上で希望のコンテンツを獲得する手段も具備している。
【００１７】
ある態様において、マルチ周波数ネットワークにおけるチャネル切換えのためのコンピュータプログラム製品が提供される。本コンピュータプログラム製品は、LOI内で利用可能な各RFチャネルに少なくとも1つの解読シーケンス識別子を関連させるCDMを受信することをコンピュータにさせるための第1のコードセット、および選択されたRFチャネルを識別するRFチャネル切換えイベントを検出することをコンピュータにさせるための第2のコードセットを具備する機械可読媒体を具備している。本機械可読媒体はまた、選択されたRFチャネルに基づいて、CDMから、選択された解読シーケンス識別子を決定することをコンピュータにさせるための第3のコードセット、選択されたRFチャネルに切換わることをコンピュータにさせるための第4のコードセット、ここにおいて、選択された解読シーケンス識別子は、選択されたRFチャネル上で搬送される希望のコンテンツを解読するために、選択された解読シーケンスを識別する、および選択されたRFチャネル上で希望のコンテンツを獲得することをコンピュータにさせるための第5のコードセットも具備している。
【００１８】
ある態様において、マルチ周波数ネットワークにおけるRFチャネル切換えを行うように構成されている少なくとも1つの集積回路が提供される。この少なくとも1つの集積回路は、LOI内で利用可能な各RFチャネルに少なくとも1つの解読シーケンス識別子を関連させるCDMを受信するように構成されている第1のモジュール、および選択されたRFチャネルを識別するRFチャネル切換えイベントを検出するように構成されている第2のモジュールを具備している。この少なくとも1つの集積回路はまた、選択されたRFチャネルに基づいて、CDMから、選択された解読シーケンス識別子を決定するように構成されている第3のモジュール、選択されたRFチャネルに切換わるように構成されている第4のモジュール、ここにおいて、選択された解読シーケンス識別子は、選択されたRFチャネル上で搬送される希望のコンテンツを解読するために、選択された解読シーケンスを識別する、および選択されたRFチャネル上で希望のコンテンツを獲得するように構成されている第5のモジュールも具備している。
【００１９】
他の態様は、以下に記述される「図面の簡単な説明」、「発明の詳細な説明」および「特許請求の範囲」をレビューすることによって明らかになるであろう。
【図面の簡単な説明】
【００２０】
本件明細書において説明される前述の態様は、以下の「発明の詳細な説明」が添付の図面とともに取り上げられるとき、その「発明の詳細な説明」を参照することによっていっそう容易に明白なものとなろう。
【図１】図1は、2つのワイドエリア上でのコンテンツ配信を例示するネットワーク図を示す。
【図２】図2は、図1に例示されている2つのローカルエリア・オペレーション・インフラストラクチャ（LOI）によって利用されるRFチャネルの割当てを例示するブロック図を示す。
【図３】図3は、切換えシステムの態様において使用される選択されたLOIにおいてWID/LID解読識別子がどのように供給されるかを例示するブロック図を示す。
【図４】図4は、切換えシステムの態様を具備するネットワークを示す。
【図５】図5は、切換えシステムの態様において使用される送信フレームのブロック図を示す。
【図６】図6は、切換えシステムの態様において使用されるアグリゲーション論理を示す。
【図７】図7は、切換えシステムの態様において使用されるRFチャネル記述メッセージを例示するブロック図を示す。
【図８】図8は、切換えシステムの態様において使用されるアグリゲーション論理をオペレーションするための方法を示す。
【図９】図9は、切換えシステムの態様において使用されるRF切換え論理を示す。
【図１０】図10は、切換えシステムの態様のオペレーションを例示するタイムラインを示す。
【図１１】図11は、切換えシステムの態様において使用されるRF切換え論理をオペレーションするための方法を示す。
【図１２】図12は、切換えシステムの態様において使用されるアグリゲーション論理を示す。
【図１３】図13は、切換えシステムの態様において使用されるRF切換え論理を示す。
【発明の詳細な説明】
【００２１】
1つまたは複数の態様において、マルチ周波数ネットワークにおける高速で効率的なRFチャネル切換えを提供するとともに、スプリアスなRFチャネル切換えを低減または除去すべく作動する切換えシステムが提供される。ある態様において、本切換えシステムは、特定のLOI内のRFチャネルに関連した解読シーケンス識別子をチャネル記述メッセージの中へ集める(アグリゲート）。本システムは、マルチ周波数ネットワークにおける各LOIについてCDMを生成する。CDMは次に、それぞれのLOI内のデバイスに送信される。CDMを受信するデバイスは、そのデバイスの現在のLOI内で使用されているRFチャネルに関連した解読シーケンスを決定するために、解読シーケンス識別子を使用することができる。RFチャネル切換えの間、デバイスは、選択されたRFチャネル上のそのデバイスの現在のLOI内で希望のコンテンツを復号するために、解読シーケンスを利用する。本システムは、ワイヤレス・ネットワーク環境における使用に適しているが、任意のタイプのネットワーク環境の中で使用されてもよい。これには、通信ネットワーク、公衆ネットワーク（例えば、インターネット）、私設ネットワーク（例えば、仮想私設ネットワーク（VPN））、ローカルエリアネットワーク、ワイドエリアネットワーク、長距離トランスポートネットワーク、または他のタイプのデータネットワークなどが含まれるが、これらに限られるものではない。
【００２２】
定義
切換えシステムの態様について説明するために、本件明細書において次の定義が使用される。
【００２３】
1．ローカルエリア―  1つのビル、一群のビル、コミュニティ、市、郡、またはサービスがブロードキャストされうる他の地域のようなローカルな地理的なエリアをいう。
【００２４】
2．ワイドエリア―  郡、州、多数の都市、国、多数の国々、またはサービスがブロードキャストされうる他の広い地域のような広い地理的エリアをいう。
【００２５】
3．マルチプレクス―  一群のコンテンツフローをいう。
【００２６】
4．ワイドエリア・マルチプレクス―  少なくとも1つのワイドエリアの上でブロードキャストされる一群のコンテンツをいう。
【００２７】
5．ローカルエリア・マルチプレクス―  少なくとも1つのローカルエリアの上でブロードキャストされる一群のコンテンツフローをいう。
【００２８】
6．ワイドエリア・オペレーション・インフラストラクチャ（WOI）―  ワイドエリア上でコンテンツフローを送信すべく作動する一群の送信機および関連するシステムをいう。WOIは、ワイドエリア・マルチプレクスを搬送することができる最小の地理的エリアへマップする。ワイドエリア・マルチプレクスは、1つまたは複数のWOIの上でブロードキャストされることができる。
【００２９】
7．ローカルエリア・オペレーション・インフラストラクチャ（LOI）―  ローカルエリアの上でコンテンツフローを送信すべく作動する一群の送信機および関連するシステムをいう。LOIは、ローカルエリア・マルチプレクスを搬送することができる最小の地理的ローカルエリアへマップする。ローカルエリア・マルチプレクスは、1つまたは複数のLOI上でブロードキャストされることができる。
【００３０】
8．RFチャネル−  選択されたLOI上でコンテンツ配信波形を伝えるために使用される周波数いう。
【００３１】
9．コンテンツチャネル―  特定の配信波形内の選択されたコンテンツフローをいう。例えば、配信波形は、マルチプルのコンテンツチャネルを具備し、また各コンテンツチャネルは、1つまたは複数のコンテンツフローを具備することができる。
【００３２】
頭文字
次の頭文字は、本件明細書において、切換えシステムの態様を記述するために使用される。
【００３３】
LM−ローカルエリア・マルチプレクス
WM−ワイドエリア・マルチプレクス
NOC−ネットワーク・オペレーション・センター
LOC−ローカル・オペレーション・センター
LOI−ローカル・オペレーション・インフラストラクチャー
WOI−ワイド・オペレーション・インフラストラクチャー
WID−ワイドエリア解読識別子
LID−ローカルエリア解読識別子
CDM−チャネル記述メッセージ
序論
図1は、2つのワイドエリア領域上でのコンテンツフロー配信を例示するネットワーク100を示す。例えば、第1のワイドエリア・マルチプレクス（WM1）および第2のワイドエリア・マルチプレクス（WM2）は、WOI1上で配信される。第3のワイドエリア・マルチプレクス（WM3）および第4のワイドエリア・マルチプレクス（WM4）は、WOI2上で配信される。WOI1はLOI1を具備し、WOI2はLOI2を具備する。第1のローカルエリア・マルチプレクス（LM1）および第2のローカルエリア・マルチプレクス（LM2）は、LOI1上で配信される。さらに、第3のローカルエリア・マルチプレクス（LM3）および第4のローカルエリア・マルチプレクス（LM4）は、LOI2上で配信される。図1に示される各々のLOIは、各々の関連するローカル領域の上で前述のマルチプレクスをブロードキャストするために、少なくとも2つのRFチャネルを利用する、と仮定する。簡単化のために、各々のWOI（WOI1およびWOI2）は、図1ではただ1つのLOIを具備するように図示されている、ということが注目されるべきである。しかしながら、現実世界の配備では、WOIは複数のLOIを具備することができる。
【００３４】
図2は、図1に例示される2つのLOIによって利用されるRFチャネルの割当てを例示するブロック図200を示す。例えば、LOI1およびLOI2によって利用されるRFチャネルは、ブロック図200に示される。LOI1は、第1のRFチャネル（RF1）および第2のRFチャネル（RF2）を利用する。LOI2は、第2のRFチャネル（RF2）および第3のRFチャネル（RF3）を利用する。
【００３５】
各々のRFチャネルは、選択されたワイドおよびローカルのコンテンツおよび/またはサービスを伝えるために使用される1つまたは複数のマルチプレクスを搬送する。例えば、本件説明のために、LOI1では、チャネルRF1がWM1およびLM1を伝え、チャネルRF2がWM2およびLM2を伝える、と仮定する。LOI2では、チャネルRF2がWM3およびLM3を伝え、チャネルRF3がWM4およびLM4を伝える。
【００３６】
RFチャネル切換え
マルチ周波数ネットワークのオペレーションの間、あるデバイスが、そのデバイスの現在のLOIにおけるRFチャネル間の切換えを行って、他のRFチャネル上でコンテンツにアクセスすることを試みるかもしれない。RFチャネルの各々は、ワイドエリア識別チャネル（WIC）およびローカルエリア識別チャネル（LIC）を具備するスクランブル化配信波形を搬送する。WIC識別チャネルは、ワイドエリア解読シーケンス識別子（WID）にさらに関連付けられ、またLIC識別チャネルは、ローカルエリア解読シーケンス識別子（LID）にさらに関連付けられる。WIDおよびLIDは、配信波形で搬送されるワイドおよびローカル・コンテンツを解読するために使用されうる解読シーケンスを識別する。一般に、デバイスは、最大の受信WIC/LICチャネル・エネルギーに関連したWID/LID解読シーケンスを用いることによって、受信された配信波形を復号しようと試みる。
【００３７】
あるデバイスが特定のLOIにおけるRFチャネルの間で切換わろうと試みるとき、スプリアスなRFチャネル切換えが生じる可能性がある。例えば、LOI1におけるチャネルRF1の上であるコンテンツフローを受信するように周波数が合わせられたあるデバイスが、異なるコンテンツフローを受信するためにLOI1におけるチャネルRF2に切換わろうと試みるかもしれない。しかしながら、デバイスの位置および/または送信状態のために、LOI2から送信されたチャネルRF2は、LOI1内で送信されたチャネルRF2より高いWIC/LICエネルギーでもって、前記デバイスにおいて受信される可能性がある。このようにして、前記デバイスは、LOI1上で送信されたチャネルRF2に関連したWID/LID解読シーケンスではなくて、LOI2上で送信されたチャネルRF2に関連したWID/LID解読シーケンスを利用する場合、スプリアスなRFチャネル切換えが生じる可能性がある。デバイスは、次に、LOI2のチャネルRF2上で受信された配信波形に希望のコンテンツを見つけようと試みる。不幸なことに、前記デバイスは正しくないWID/LID解読シーケンスを利用しているので、希望のコンテンツは見つけられないであろう。様々な態様において、本件切換えシステムは、前記デバイスが正しいRFチャネル切換えを実行し、希望のコンテンツを獲得することができるように、正しいWID/LID解読シーケンス識別子を提供すべく作動する。
【００３８】
図3は、切換えシステムの態様において使用されるネットワーク100において、WID/LID解読識別子がどのようにして供給されるかを例示するブロック図300を示す。例えば、ブロック図300は、ワイドマルチプレクス（WM1、WM2、WM3およびWM4）およびローカルマルチプレクス（LM1、LM2、LM3およびLM4）を解読するために使用される解読シーケンスに関連したWID/LID識別子が、図1に示されているネットワーク100におけるLOI1およびLOI2のために、どのようにして供給されるのかを例示する。
【００３９】
LOI1およびLOI2には、ワイドエリアマルチプレクスおよびローカルエリアマルチプレクスを搬送する2つのRFチャネルがある。例えば、LOI1では、チャネルRF1は、図2に例示されるようなマルチプレクスWM1およびLM1を搬送し、またこれらのマルチプレクスは、図3に例示されるようなWID1およびLID1によって識別される解読シーケンスを使用して、それぞれ解読されることができる。さらに、LOI1では、チャネルRF2は、図2に例示されるようなマルチプレクスWM2およびLM2を搬送し、またはこれらのマルチプレクスは、図3に例示されるようなWID2およびLID2によって識別される解読シーケンスを使用して、それぞれ解読されることができる。LOI2では、チャネルRF2およびRF3は、図2に例示されるようなワイドエリアマルチプレクス(WM3 and WM4)およびローカルエリアマルチプレクス(LM3 and LM4)を搬送し、またこれらのマルチプレクスは、図3に例示されるようなWID3、WID4、LID3およびLID4によって識別された解読シーケンスを使用して、それぞれ解読されることができる。
【００４０】
ある態様において、本件切換えシステムは、LOIの中で使用されるRFチャネルに関係しているWID/LID識別子のリストを具備するCDMを各LOIに供給すべく作動する。WID/LID識別子は、特定のLOIの中で使用される各々のRFチャネルについて、ワイドエリア/ローカルエリア解読シーケンスを識別する。
【００４１】
ある態様において、各々のLOIにおける送信機サイトは、制御チャネル（ＣＣ）を使用して、各LOI内で作動するデバイスに関連するCDMを送信する。このようにして、RFチャネルを切換えたいと思う特定のLOI内で作動するデバイスは、受信CDM中に提供されたWID/LID解読識別子を利用し、そのことによって、希望のRFチャネルに関係した正しい解読シーケンスを決定することができる。例えば、WID/LID識別子は、正しい配信波形からの希望のコンテンツを解読するために使用されうる解読シーケンスを識別する。
【００４２】
図4は、切換えシステムのある態様を具備するネットワーク400を示す。例えば、ネットワーク400は、図1に示されるネットワーク100の一部である。ネットワーク400は、ネットワークオペレーションセンター（NOC）402、および図1に示されるようなLOI1およびLOI2を具備している。
【００４３】
NOC402は、マルチ周波数ネットワークの選択されたワイドエリアおよびローカルエリア上の配信のためのワイドコンテンツマルチプレクスおよびローカルコンテンツマルチプレクスを受信すべく作動する。NOC402は、当該コンテンツを配信するようにマルチ周波数ネットワークを構成すべくさらに作動する。これを遂行するために、NOC402は、ネットワークの地理的領域と、各領域で使用されるRFチャネルと、ネットワークを構成しワイドコンテンツマルチプレクスおよびローカルコンテンツマルチプレクスを配信するために必要とされるかもしれない他の任意のネットワーク情報とを知っている。
【００４４】
ある態様において、NOC402は、アグリゲーション論理404を具備する。アグリゲーション論理404は、各LOI内のRFチャネルに関連したWID/LID解読識別子に関係する情報を集めるべく作動する。例えば、ワイドコンテンツマルチプレクスおよびローカルコンテンツマルチプレクスは、ネットワーク400上で送信される前に、ワイドエリアおよびローカルエリア解読シーケンスを用いて暗号化（スクランブル）される。CDMメッセージは、特定のLOI内のRFチャネルに関連したWID/LID識別子のリストを提供するように構成される。アグリゲーション論理404によって生成されるCDMメッセージの更なる詳細な説明は、本件明細書の別のところで与えられる。
【００４５】
NOC402は、ワイドおよびローカルマルチプレクスおよび生成されたCDMをネットワーク400中のLOIに送信すべく作動する。図には2つのLOIしか示されていないものの、NOC402は、マルチプレクスおよび関連するCDMを任意の数のLOIに送信可能であることが注目されるべきである。
【００４６】
ある態様において、LOI1およびLOI2は、1つまたは複数の送信機サイトを具備している。例えば、LOI1は送信機サイト406および408を具備し、LOI2は送信機サイト410および412を具備している。各送信機サイトは、それぞれのLOI上の選択されたRFチャネル上で情報を送信すべく作動する。例えば、送信機サイト408は、RFチャネルRF2を使用して、LOI1上で情報を送信する。各々のLOIにおける送信機サイトは、いっしょに配置されてもよいし、そうでなくてもよいということも注目されるべきである。
【００４７】
ある態様において、NOC402は、414において例示されているように、任意の適切なトランスポート機構によって、コンテンツマルチプレクスおよびCDMを送信機サイトへ送信すべく作動する。例えば、ある態様において、NOC402は、ＭＰＥＧ−2トランスポート機構を使用して、コンテンツマルチプレクスおよびCDMメッセージを送信機サイトに送信する。この構成において、マルチプレクスおよびCDMメッセージは、ＭＰＥＧ−2トランスポート識別子を割り当てられる。そのことによって、各送信機サイトは、各送信機サイトに関連したLOI上で送信されることが意図されている選択されたマルチプレクスおよびCDMメッセージを検出し受信することができる。
【００４８】
ある態様において、送信機サイトのサーバーは、それらがそれぞれのLOIの上でどのマルチプレクスおよびCDMメッセージを送信するつもりであるかを決定するために、トランスポート識別子を使用する。サーバーは次に、選択されたRFチャネル上の送信のために、サーバーのそれぞれのマルチプレクスおよびCDMメッセージを送信フレームにパックすべく作動する。サーバーは、マルチプレクスおよびCDMメッセージを送信のための送信フレームにパックするために、何らかの適切な物理層プロセスを利用する。送信機サイトのサーバーは、それぞれのLOI上の送信に向けられるマルチプレクスおよびCDMメッセージを決定するためにトランスポート識別子を使用することによって、マルチプレクスまたはCDMメッセージのうちのいずれも復号する必要がなくてすむ。サーバーは、単に、適切なトランスポート識別子を検出し、次に、物理層プロセスにしたがって、受信マルチプレクスおよびCDMメッセージを送信フレームにパックするだけでよい。
【００４９】
送信フレームは、アグリゲーション論理404によって生成されたCDMメッセージおよびワイドおよびローカルマルチプレクスに関連したコンテンツフローを具備している。ある態様において、送信フレームは、ワイドおよびローカルコンテンツフローを伝えるためにそれぞれ使用されるワイドおよびローカルパーティションを具備している。さらに、前記ワイドおよびローカルパーティションは、ワイドおよびローカル制御チャネルを具備している。ある態様において、ローカル制御チャネルは、アグリゲーション論理404によって生成されたCDMメッセージを各LOI内のデバイスへ伝えるために使用される。
【００５０】
ある態様において、送信機サイト406は、416に示されるようなRFチャネル（RF1）を使用して、LOI1上の送信フレームを送信すべく作動し、および送信機サイト408は、418に示されるようなRFチャネル（RF2）を使用して、LOI1上のそれの送信フレームを送信すべく作動する。ネットワーク100は、マルチプルRFチャネルを使用することによって、各LOI上でより多くのコンテンツフローを送信することができる。送信機サイト406および408は、LOI1の中にいっしょに配置されてもよく、または任意の希望の距離を置いて分離されてもよいということが注目されるべきである。
【００５１】
同様にして、送信機サイト410および412は、LOI2内のデバイスへの送信のために、NOC402からコンテンツマルチプレクスおよびCDMメッセージを受信するべく作動する。送信機サイト410および412によって受信されるCDMメッセージは、送信機サイト406および408によって受信されるCDMメッセージと異なってもよい。LOI1およびLOI2がRFチャネルおよび関連の解読シーケンス識別子の異なる集合を利用するので、前記2つのCDMメッセージは、異なるかもしれない。
【００５２】
ある態様において、デバイス420は、選択された送信フレームを受信するために、LOI1内の選択されたRFチャネルに周波数を合わせるべく作動する受信機422を具備している。例えば、受信機422は、送信機サイト406から送信フレームを受信するために、RFチャネル（RF1）416に調整すべく作動する。受信される送信フレームは、アグリゲーション論理404によって生成されるCDMメッセージを伝えるローカル制御チャネルを具備している。CDMメッセージは、LOI1内のRFチャネルに関連した送信フレーム内で受信されるコンテンツを解読するためにLOI1内のデバイス420によって使用される解読シーケンスを識別するWID/LID解読シーケンス識別子のリストを具備している。
【００５３】
受信機422は、受信されたWID/LID識別子をRF切換え論理424へ渡す。RF切換え論理424は、RFチャネル切換えイベントを受信すべく作動する。RFチャネル切換えイベントとは、1つまたは複数の希望のコンテンツフローを受信するために、あるRFチャネルから別のRFチャネルへ切換わることをデバイス420にさせるイベントである。ある態様において、RFチャネル切換えイベントは、デバイス・ユーザー要求、すなわち、デバイス420において動くプログラムによって生成される要求に応答してトリガされるものであってもよい。
【００５４】
ある態様において、NOC402は、各LOI内のすべてのコンテンツフローのRFチャネル位置を各LOI内のデバイスに知らせるべく作動する。例えば、特定のLOI内のコンテンツフローのRFチャネル位置をデバイスに知らせるために（例えば、RFチャネルからコンテンツフローへのマッピングを含む制御チャネルメッセージをデバイスに送ることによって）任意の適切な技術を使用することができる。あるデバイスが希望のコンテンツフローを搬送する特定のRFチャネルをいったん決定すると、当該デバイスは、CDMにおいて受信された情報を使用し、前記特定のRFチャネル上で受信されたコンテンツを解読するために必要とされるWID/LID解読シーケンスを決定する。
【００５５】
RFチャネル切換えイベントが生じると、RF切換え論理424は、CDMから、当該新規のRFチャネルに関連した正しいWID/LID解読シーケンスを決定すべく作動する。そうすることにおいて、デバイス420は、新規のRFチャネルへ切換わり、希望のコンテンツを見つけることに成功することができる。例えば、RF切換え論理424は、RFチャネル切換えメッセージを受信機422へ出力し、RFチャネル切換えを実行する。RFチャネル切換えメッセージは、正しいWID/LID識別子を含んでいて、それゆえに希望のコンテンツが受信機422によって復号されることができる。正しいWID/LID識別子がないと、デバイス420は、スプリアスなRFチャネル切換えを実行するかもしれず、そうなると、デバイスは、間違ったWID/LID解読シーケンスを使用して送信フレームを復号しようとし、その結果、希望のコンテンツを見出すことができなくなってしまう。例えば、デバイス420は、現在、LOI1内のチャネルRF1（416）を受信するように調整されていて、そして希望のコンテンツを受信するためにLOI1内のチャネルRF2（418）に切り換わりたいと思っている、と仮定してみよう。CDM内のWID/LID識別子を使用することによって、デバイスは、正しい解読シーケンス（WID2、LID2）を決定することができ、そのことによって、デバイスは、RF2（418）上のコンテンツを解読することが可能になる。そうではなくて、LOI2からのRF2が、LOI1からのRF2より高いエネルギーでもってデバイス420で受信されるとすると、デバイス420は、希望のコンテンツを見つけようとして、LOI2から送信されたチャネルRF2（426）に間違って切換わる可能性がある。この場合、希望のコンテンツは、LOI2から送信されたチャネルRF2（426）の上では見つからない。
【００５６】
したがって、切換えシステムの態様は、デバイスがスプリアスなRFチャネル切換えを回避することを可能にすべく作動する。ネットワーク400は、切換えシステムの1つの実装を示すに過ぎず、様々な態様の範囲の中でその他の実装も可能であることが注目されるべきである。
【００５７】
図5は、切換えシステムの態様において使用される送信フレーム500のブロック図を示す。例えば、送信フレーム500は、ワイドおよびローカルマルチプレクスおよびCDMメッセージとともにパックされ、図4に示される1つまたは複数の送信機サイトによって送信されることができる。
【００５８】
送信フレーム500は、502において一般的に示されるように、ワイドおよびローカルコンテンツを伝えるために使用される4つのサブフレームを具備している。例えば、各サブフレーム502は、ワイドエリアコンテンツとともにパックされるワイドエリアパーティション504と、ローカルエリアコンテンツとともにパックされるローカルエリアパーティション506とを具備している。
【００５９】
ワイドエリアパーティション504には、ワイドエリア制御チャネル508が含まれている。ワイドエリア制御チャネル508は、ワイドエリアコンテンツマルチプレクスに関係するメッセージを伝えるべく作動する。ローカルエリアパーティション506には、ローカルエリア制御チャネル510が含まれている。ローカルエリア制御チャネル510は、ローカルエリアコンテンツマルチプレクスに関係するメッセージを伝えるべく作動する。ある態様において、ローカルエリア制御チャネルは、CDMメッセージを伝えるために使用される。
【００６０】
送信フレーム500の始めの部分にあるものは、ワイドエリア制御チャネルの場所を特定するのに使用されるオーバーヘッド情報を提供するオーバーヘッド情報シンボル（OIS）512と、ローカルエリア制御チャネルと、およびサブフレーム502の中にパックされているワイドおよびローカルコンテンツである。ＯＩＳ  512は、ワイドオーバヘッド情報シンボル（WOIＳ）およびローカルオーバヘッド情報シンボル（LOIＳ）を具備している。送信フレーム500はまた、1つまたは複数のWICシンボル514および1つまたは複数のLICシンボル516を具備している。WIC  514およびLIC  516シンボルは、WIC/LICエネルギーを決定するために使用される。
【００６１】
図6は、切換えシステムの態様において使用されるアグリゲーション論理600を示す。例えば、アグリゲーション論理600は、図4に示されるアグリゲーション論理404としての使用に適している。アグリゲーション論理600は、メッセージ論理602、マルチプレクス入力論理606および出力論理608を具備し、これらはすべてデータ・バス610に連結されている。
【００６２】
マルチプレクス入力論理606は、少なくとも1つのＣＰＵ、プロセッサ、ゲートアレー、ハードウェア論理、メモリエレメント、および/またはソフトウェアを実行するハードウェアを具備している。マルチプレクス入力論理606は、マルチ周波数配信ネットワークのワイドおよびローカル領域の上で配信されることになっている1つまたは複数のワイドおよび/またはローカルエリアマルチプレクス612を受信すべく作動する。
【００６３】
メッセージ論理602は、少なくとも1つのＣＰＵ、プロセッサ、ゲートアレー、ハードウェア論理、メモリエレメント、および/またはソフトウェアを実行するハードウェアを具備している。メッセージ論理602は、切換えシステムの態様において使用されるメッセージを生成すべく作動する。ある態様において、メッセージ論理602は、特定のLOIの中で使用されるRFチャネルにWID/LID識別子を関連させる1つまたは複数のCDMメッセージを生成する。CDMの更なる詳細な説明は、本件明細書の別のところで与えられる。
【００６４】
出力論理608は、少なくとも1つのＣＰＵ、プロセッサ、ゲートアレー、ハードウェア論理、メモリエレメント、および/またはソフトウェアを実行するハードウェアを具備している。出力論理608は、マルチ周波数ネットワークにおけるLOIへの配信のためのコンテンツマルチプレクスとCDMメッセージとを出力すべく作動する。例えば、出力論理608は、任意のタイプのトランスポート機構を使用して、マルチ周波数ネットワーク内の送信サイトに、コンテンツマルチプレクスとCDMメッセージとを出力すべく作動する。
【００６５】
ある態様において、切換えシステムは、1つまたは複数のプログラム命令（「命令」）または「コード」のセットを具現化している機械可読媒体を具備するコンピュータプログラム製品を具備している。この命令は、少なくとも1つのプロセッサ（例えばメッセージ論理602におけるプロセッサ）によって実行されるとき、本件明細書において説明されている機能を実現するものである。例えば、コードセットは、フレキシブルディスク、ＣＤＲＯＭ、メモリーカード、フラッシュメモリデバイス、ＲＡＭ、ＲＯＭ、またはその他のメモリデバイスまたは機械可読媒体であってアグリゲーション論理600とインターフェースを有するメモリデバイスまたは機械可読媒体のような機械可読媒体からアグリゲーション論理600へロードされてもよい。他の態様において、コードセットは、外部デバイスかまたはネットワーク資源からアグリゲーション論理600へダウンロードされてもよい。コードセットは、実行されるとき、本件明細書において説明されている切換えシステムの態様を提供する。
【００６６】
図7は、切換えシステムの態様において使用されるチャネル記述メッセージ700を例示するブロック図を示す。例えば、CDM700は、図6に示されるメッセージ論理602によって生成される。
【００６７】
ある態様において、CDM700は、各LOIについて別々に生成され、またマルチ周波数ネットワークにおけるLOI  706のためのWID/LID解読識別子704にRFチャネル702を関連させるように構成される。例えば、CDM700は、LOI1に関連したRFチャネルを示す。各RFチャネルについて、WID/LID識別子が提供される。ある態様において、CDM700は、ローカル制御チャネル708を使用して、LOI1の上で配信される。LOI2上の配信のためにもう1つのCDMメッセージが生成されること、およびCDMは、図で示されているように、LOI2のためのWID/LID識別子を具備することが注目されるべきである。
【００６８】
図8は、切換えシステムの態様において使用される方法800を示す。明瞭さのために、本件明細書では、方法800は、図6に示されるアグリゲーション論理600を参照して説明される。例えば、ある態様において、メッセージ論理602は、以下において説明される機能を実行するようにアグリゲーション論理600を制御するために、1つまたは複数のコードセットを実行する。
【００６９】
ブロック802において、マルチ周波数ネットワーク上の配信のために、1つまたは複数のワイドおよび/またはローカルのマルチプレクスが受信される。例えば、マルチプレクスは、図4に示されるNOC  402において受信される。
【００７０】
ブロック804において、受信マルチプレクスの配信が決定される。例えば、NOC  402は、選択されたWOIおよびLOIへワイドエリアおよびローカルマルチプレクスを配信すること決定する。ある態様において、NOC  402は、各LOI内で各マルチプレクスのコンテンツフローを搬送するために使用されることになっているRFチャネルおよび各LOIに配信されることになっているのはどのマルチプレクスか決定する。
【００７１】
ブロック806において、各LOIについてCDMメッセージが生成される。例えば、配信ネットワークにおける各LOIについて、当該特定のLOIのためのWID/LID識別子にRFチャネルを関連させるCDMが生成される。例えば、メッセージ論理602は、CDMメッセージを生成すべく作動する。そのメッセージは、図7に示されているCDM700としてフォーマットされてもよい。
【００７２】
ブロック808において、マルチプレクスおよびCDMメッセージは、各LOI内のデバイスへの配信のために、送信機サイトへ送信される。例えば、マルチプレクスおよびCDMのメッセージは、任意の適切なトランスポート機構を用いてLOIに送信される。送信機サイトから、CDMメッセージは、図5に例示されるような送信フレーム中のローカル制御チャネルを使用して各LOI上で配信される。
【００７３】
このようにして、方法800は、切換えシステムの態様を提供すべく作動する。方法800は、1つの実装を示すに過ぎず、態様の範囲の中でその他の実装も可能であることが注目されるべきである。
【００７４】
図9は、切換えシステムの態様において使用されるRF切換え論理900を示す。例えば、RF切換え論理900は、図4に示されるRF切換え論理424としての使用に適している。RF切換え論理900は、処理論理902、メッセージ復号器904、チャネル切換え論理910、および制御チャネル入力論理906を具備している。これらはすべて、データバス908に連結されている。
【００７５】
制御チャネル入力論理906は、ＣＰＵ、プロセッサ、ゲートアレー、ハードウェア論理、メモリエレメント、および/またはソフトウェアを実行するハードウェアのうちの少なくとも1つを具備している。制御チャネル入力論理906は、デバイスが現在周波数が合わせられているRFチャネルの上でローカル制御チャネルデータを受信すべく作動し、このデータをメッセージ復号器904へ渡す。例えば、CDMメッセージは、図5に例示されるような送信フレームの一部であるローカル制御チャネル上で受信される。ある態様において、制御チャネル入力論理906はまた、制御チャネル上でのコンテンツフローからRFチャネルへのマッピングを受信し、このマッピングを処理論理902へ渡す。
【００７６】
メッセージ復号器904は、ＣＰＵ、プロセッサ、ゲートアレー、ハードウェア論理、メモリエレメント、および/またはソフトウェアを実行ハードウェアのうちの少なくとも1つを具備する。ある態様において、メッセージ復号器904は、ローカル制御チャネル上で受信されるCDMメッセージを復号すべく作動する。例えば、CDMメッセージは、図7に例示されるようにフォーマットされ、またそれを復号することによって、WID/LID解読識別子が現在のLOI内のRFチャネルに関連することを決定することができる。CDM情報は、処理論理902に渡される。
【００７７】
処理論理902は、ＣＰＵ、プロセッサ、ゲートアレー、ハードウェア・論理、メモリエレメント、および/またはソフトウェアを実行するハードウェアのうちの少なくとも1つを具備する。ある態様において、処理論理902は、デバイス・ユーザー、実行アプリケーション・プログラムまたは他の論理であってRFチャネル切換えイベントの送信源となるものとの間にインターフェースをもつべく作動する。例えば、デバイス・ユーザーは、第2のRFチャネル切換えに対して、他のRFチャネル上で搬送される特定のコンテンツフローを視るよう要求することができる。処理論理902はLOI内のすべてのコンテンツフローのRFチャネルの位置を知っているので（その位置は上で説明されたマッピングによって提供されている）、処理論理902は、希望のRFチャネルの識別子と、受信されたCDMから得られる希望のRFチャネルに関連したWID/LID解読シーケンス識別子とをチャネル切換え論理910に送信する。
【００７８】
チャネル切換え論理910は、ＣＰＵ、プロセッサ、ゲートアレー、ハードウェア論理、メモリエレメント、および/またはソフトウェアを実行するハードウェアのうちの少なくとも1つを具備する。ある態様において、チャネル切換え論理910は、デバイス受信機422へのWID/LID解読シーケンス識別子と、希望のRFチャネルとを含むチャネル切換えメッセージを生成すべく作動する。この情報を用いて、受信機422は、正しいRFチャネルにすばやく切換わり、正しいWID/LID解読シーケンス識別子を使用し、希望のコンテンツフローを受信することができる。このようにして、スプリアスなチャネル切換えが回避され、そのことによって、コンテンツチャネル切換えの迅速化およびユーザーエクスペリエンスの強化がなされる。
【００７９】
ある態様において、切換えシステムは、少なくとも1つのプロセッサ（例えば処理論理902におけるプロセッサ）によって実行されるときコンピュータに本件明細書記載の機能を提供させる1つまたは複数のプログラム命令（「指令」）または「コード」のセットを具体化する機械可読媒体を具備するコンピュータプログラム製品を具備する。例えば、コードセットは、フレキシブルディスク、ＣＤＲＯＭ、メモリーカード、ＦＬＡＳＨメモリデバイス、ＲＡＭ、ＲＯＭ、または他の任意のメモリデバイスまたは機械可読媒体であって、RF切換え論理900と接続しているもののような、機械可読媒体からRF切換え論理900にロードされてもよい。他の態様において、コードセットは、外部のデバイスまたはネットワーク資源からRF切換え論理900へダウンロードされてもよい。コードセットは、実行されるとき、コンピュータに本件明細書記載の切換えシステムの態様を提供させる。
【００８０】
図10は、切換えシステムの態様のオペレーションを例示するタイムライン000を示す。タイムライン1000は、LOI1内のRFチャネルRF1およびRF2の上で送信される3つの送信フレーム（1、2および3）のシーケンスを示す。チャネルRF1を受信するために今、デバイスが調整されていると仮定する。送信フレーム1の間に、デバイスにおいて、RFチャネル切換えイベント1002が検出される。前記RFチャネル切換えイベントは、例えば、デバイス・ユーザーが選択されたコンテンツフローを受信/復号するためにデバイスを再び周波数を合わせようとするときに生じる。ある態様において、処理論理902によってRFチャネル切換えイベントが検出される。
【００８１】
処理論理902は、格納されている情報から、希望のコンテンツフローのRFチャネルを決定すべく作動する。例えば、RFチャネルと関連コンテンツフローとのマッピングがデバイスに格納されている。希望のコンテンツフローのRFチャネルがいったん決定されると、前に受信されたCDMの中で供給される現在のLOI内のRFチャネルに関連したWID/LID値に基づいて、関連するWID/LIDの値が決定される。希望のコンテンツフローはRFチャネルRF2の上にあると仮定すると、デバイスは、送信フレームをRF2上で受信するために、RFチャネル切換えを実行する。
【００８２】
次の送信フレーム（2）の始まりにおいて、デバイスは1004においてＯＩＳを読む。ＯＩＳは、制御チャネルの更新された状態を示す連続番号を含んでいる。ＯＩＳ上の制御チャネル連続番号が最後に読まれた後まだ更新されていないとすると、デバイスは、1008において希望のコンテンツの復号とレンダリングを開始する。ＯＩＳ上の制御チャネル連続番号が最後に読まれた後すでに更新されているとすると、デバイスは、1006において送信フレーム2における新規の制御チャネル情報を読み、および1010において示されるような次の送信フレーム（3）における希望のコンテンツについての復号およびレンダリングを開始する。このようにして、システムは、制御チャネル情報が変わっていないとき、チャネル切換えイベントの生起後、直後の送信フレーム上で希望のコンテンツの復号およびレンダリングが行なわれるために、高速RFチャネル切換えを提供すべく作動する。一般に制御チャネル情報は、あまり頻繁に変化せず、したがって、チャネル切換えは、多くの場合、RFチャネル切換えのイベントが検出された後、次の送信フレーム内で生じる。
【００８３】
図11は、切換えシステムの態様において使用される方法1100を示す。明瞭さのために、方法1100は、本件明細書においては、図9に示されるRF切換え論理900を参照して説明される。例えば、ある態様において、処理論理902は、1つまたは複数のコードセットを実行してRF切換え論理900を制御することによって、以下に述べる諸機能を実行する。
【００８４】
ブロック1102において、ワイドおよびローカル制御チャネルデータが受信される。ある態様において、ワイドおよびローカル制御チャネルデータは、制御チャネル入力論理906によって受信される。例えば、ワイドおよびローカル制御チャネルデータは、図5に例示されるようにフォーマットされている一連の送信フレームの中でデバイスにおいて受信される。
【００８５】
ブロック1104において、ローカル制御チャネル内で受信されたCDMメッセージが復号される。ある態様において、CDMメッセージは、図7に例示されるようにしてフォーマットされる。CDMメッセージは、与えられたLOIにおけるRFチャネルについてのWID/LID解読シーケンス識別子にRFチャネルを関連させる。ある態様において、CDMメッセージにおける情報は、デバイスに格納される。
【００８６】
ブロック1106において、RFチャネル切換えイベントが受信されたかどうかの決定が行なわれる。例えば、RFチャネル切換えのイベントは、デバイス・ユーザーによってトリガされてもよいし、または実行プログラムからトリガされてもよい。ある態様において、RFチャネル切換えイベントは、現在のLOIの内の異なるRFチャネル上で搬送される希望のコンテンツフローを復号せよという要求である。ある態様において、処理論理902は、RFチャネル切換えイベントがすでに受信されているかどうか決定すべく作動する。もしRFチャネル切換えイベントがすでに受信されていたら、本方法は、ブロック1108に進む。もしチャネル切換えイベントがまだ受信されていなかったら、本方法は、出口に向かう。
【００８７】
ブロック1108において、希望のコンテンツフローを搬送する選択されたRFチャネルが決定される。ある態様において、処理論理902は、以前に格納されたマッピング情報に基づいて、希望のコンテンツを搬送する選択されたRFチャネルを決定すべく作動する。例えば、RFチャネルとコンテンツフローとの間のマッピングを記述するメッセージが、制御チャネル上で受信され、デバイスに格納される。
【００８８】
ブロック1110において、希望のコンテンツフローを搬送する選択されたRFチャネルのためのWID/LID識別子が、格納されているCDMメッセージ内の情報に基づいて決定される。ある態様において、処理論理902は、選択されたRFチャネル上のコンテンツを解読するために使用されることになっているWID/LID解読シーケンス識別子を決定すべく作動する。例えば、CDMは、図7に例示されるようにしてフォーマットされ、現在のLOIにおけるRFチャネルとWID/LID識別子との間のマッピングを提供する。処理論理902は、このマッピングから、選択されたRFチャネルに関連したWID/LID識別子を決定すべく作動する。
【００８９】
ブロック1112において、選択されたRFチャネルへの切換えが行なわれる。ある態様において、チャネル切換え論理910は、選択されたRFチャネルを識別するRFチャネル切換えメッセージを生成すべく作動し、このメッセージをデバイスの受信論理に送信する。RFチャネル切換えメッセージは、選択されたRFチャネルに関連した決定されたWID/LID解読シーケンス識別子を含んでいる。受信機は次に、選択されたRFチャネルに周波数を合わせ、WID/LID識別子を使用し、選択されたRFチャネル上の受信された送信フレームを解読するための正しい解読シーケンスを決定する。
【００９０】
ブロック1114において、選択されたRFチャネル上で搬送される制御チャネル情報が変わったかどうかについての決定がなされる。例えば、与えられたLOIにおけるすべてのRFチャネルについての制御チャネル情報は、同一であって、制御チャネル情報がいつ変化したかを決定するために使用されることができる制御チャネルシーケンス識別子を含んでいる。ある態様において、処理論理902は、ＯＩＳから制御チャネル連続番号を取得し、制御チャネル情報が、最後にデバイスに格納されてから、変化したかどうかを決定する。もし制御チャネル情報が変化なしの場合、本方法は、ブロック1116へ進む。もし制御チャネル情報が変化ありの場合、本方法は、ブロック1118へ進む。
【００９１】
ブロック1116において、希望のコンテンツフローは、現在の送信フレームの中で復号される。例えば、受信機422は、識別されたWID/LID解読シーケンスを使用して希望のコンテンツの復号を開始する。
【００９２】
ブロック1118において、現在の送信フレームの中の選択されたRFチャネルについての新規な制御チャネルデータが得られる。例えば、制御チャネル入力論理906は、選択されたRFチャネルについての新規の制御チャネル情報を獲得すべく作動する。メッセージ復号器904は、RFチャネルとWID/LID識別子との間の新規のマッピングを決定するための何らかの新規のCDMメッセージ、または更新されたコンテンツフローからRFチャネルへのマッピングを決定するための他の制御チャネルメッセージを復号すべく作動する。その情報は次に、デバイスに格納される。
【００９３】
ブロック1120において、希望のコンテンツフローを搬送する更新されたRFチャネルが決定される。ある態様において、処理論理902は、制御チャネルから受信された更新されたマッピング情報に基づいて、希望のコンテンツを搬送する更新されたRFチャネルを決定すべく作動する。更新されたRFチャネルが、現在選択されているRFチャネルと同じであるかもしれないということが注目されるべきである。例えば、RFチャネルとコンテンツフローとの間のマッピングを記述するメッセージが、制御チャネル上で受信され、デバイスに格納される。
【００９４】
ブロック1122において、希望のコンテンツフローを搬送する更新されたRFチャネルが、現在選択されているRFチャネルと異なるものであるかどうかについての決定が行なわれる。希望のコンテンツフローを搬送する更新されたRFチャネルが、現在選択されているRFチャネルと異なる場合、更新されたRFチャネルは、現在選択されているRFチャネルとして指定され、本方法はブロック1110へ進む。更新されたRFチャネルが、現在選択されているRFチャネルと異ならない場合、本方法はブロック1124へ進む。
【００９５】
ブロック1124において、希望のコンテンツが復号され、レンダリングされ、次の送信フレームに着手する。例えば、受信機422は、識別されたWID/LID解読シーケンスを使用して、次の送信フレームにおける希望のコンテンツの復号を開始する。
【００９６】
このようにして、本方法1100は、切換えシステムの一態様を提供すべく作動する。方法1100は、1つの実装を示すに過ぎず、態様の範囲の中でその他の実装も可能であることが注目されるべきである。
【００９７】
図12は、切換えシステムの態様において使用されるアグリゲーション論理1200を示す。例えば、アグリゲーション論理1200は、図6に示されるアグリゲーション論理600としての使用に適している。ある態様において、アグリゲーション論理1200は、本件明細書において説明されているような切換えシステムの態様を提供するように構成されている1つまたは複数のモジュールを具備する少なくとも1つの集積回路によって実装される。
【００９８】
アグリゲーション論理1200は、マルチ周波数ネットワークにおけるローカルエリア・オペレーション・インフラストラクチャー（LOI）を識別する手段（1202）を具備する第1のモジュールを具備し、それはある態様ではメッセージ論理602を具備する。アグリゲーション論理1200はまた、LOIに関連した各無線周波数(RF)チャネルに少なくとも1つの解読シーケンス識別子をそれぞれ関連させるチャネル記述メッセージ（CDM）を生成する手段（1204）を具備する第2のモジュールを具備し、それはある態様においてメッセージ論理602を具備している。アグリゲーション論理1200はまた、LOI上でCDMを配信する手段（1206）を具備する第3のモジュールを具備し、それはある態様において出力論理608を具備する。
【００９９】
図13は、切換えシステムの態様において使用されるRF切換え論理1300を示す。例えば、RF切換え論理1300は、図9に示されるRF切換え論理900としての使用に適している。ある態様において、RF切換え論理1300は、本件明細書において説明されているような切換えシステムの態様を提供するように構成されている1つまたは複数のモジュールを具備する少なくとも1つの集積回路によって実装される。
【０１００】
RF切換え論理1300は、ローカル・オペレーション・インフラストラクチャー（LOI）における利用可能な各無線周波数（RF）チャネルに少なくとも1つの解読シーケンス識別子をそれぞれ関連させるチャネル記述メッセージ（CDM）を受信する手段（1302）を具備する第1のモジュールを具備し、それはある態様において制御チャネル入力論理906を具備する。RF切換え論理1300はまた、選択されたRFチャネルを識別するチャネル切換えイベントを検出する手段（1304）を具備する第2のモジュールを具備し、それはある態様において処理論理902を具備する。RF切換え論理1300はまた、選択されたRFチャネルに基づいて、CDMから、選択された解読シーケンス識別子を決定する手段（1306）を具備する第3のモジュールを具備し、それはある態様において処理論理902を具備する。RF切換え論理1300はまた、選択されたRFチャネルに切換わる手段（1306）を具備する第4のモジュールであって、選択された解読シーケンス識別子は、選択されたRFチャネル上で搬送される希望のコンテンツを解読するための選択された解読シーケンスを識別する、第4のモジュールを具備し、それはある態様においてチャネル切換え論理910を具備する。RF切換え論理1300はまた、選択されたRFチャネル上で希望のコンテンツを獲得する手段（1310）を具備する第5のモジュールを具備し、それはある態様においてチャネル切換え論理910を具備する。
【０１０１】
本明細書において開示された態様に関連して説明された様々な例示的な論理、論理ブロック、モジュール、および回路は、汎用目的プロセッサ、ディジタル信号プロセッサ(DSP)、特定用途向けのIC(ASIC)、フィールドプログラマブルゲートアレイ(FPGA)または他のプログラマブル論理デバイス、離散的ゲートまたはトランジスタ論理、離散的ハードウェアコンポーネント、またはこれらのものの任意の組み合わせであって、本明細書記載の機能を実現するように設計されたものによって実装されることができる。汎用目的プロセッサは、マイクロプロセッサであってもよいが、そのかわりに、任意の通常のプロセッサ、コントローラ、マイクロコントローラ、または状態機械（ステートマシン）であってもよい。プロセッサは、計算装置の組み合わせとして、例えば、DSPとマイクロプロセッサとの組み合わせ、複数のマイクロプロセッサ、DSPコアと結合した1つまたは複数のマイクロプロセッサ、または他の任意の同様の機器構成として、実装されることもできる。
【０１０２】
本明細書における開示に関連して説明された方法またはアルゴリズムのステップは、ハードウェア、プロセッサによって実行されるソフトウェアモジュール、またはその2つの組み合わせにおいて直接具体化されることができる。ソフトウェアモジュールは、RAMメモリ、フラッシュメモリ、ROMメモリ、EPROMメモリ、EEPROMメモリ、レジスタ、ハードディスク、リムーバブルディスク、CD-ROMまたは本件技術分野において既知の他の任意の形式の記憶媒体の中に存在することができる。一例としての記憶媒体は、プロセッサが記憶媒体から情報を読み取る、または記憶媒体に情報を書き込むことができるように、プロセッサと結合されている。そのかわりに、記憶媒体がプロセッサと一体化されていてもよい。その場合、プロセッサおよび記憶媒体がASICの中に存在し、そのASICがユーザー端末の中に存在するという構成であってもよい。そのかわりに、プロセッサおよび記憶媒体がユーザー端末において、離散的コンポーネントとして、存在するという構成も可能である。
【０１０３】
開示された態様についての説明は、どのような当業者も、本開示の発明を製造し、または使用することができるように提供されている。本開示に対する様々な修正は、当業者にとって直ちに明白であろう。また、本明細書において定義された一般原則は、本開示の要旨または範囲から逸脱することなく、他の変形に対して適用可能である。そのような意味において、本開示は、本明細書において説明された事例および設計に限定されるよう意図されているものではなく、本明細書に開示された原則および新規な特徴と一致する最も広い範囲が与えられるべきものである。「例示的である」という語は、「例、実例または例示として役立つ」ことを意味するために本件明細書にかぎって使用されている。本件明細書において「例示的である」と形容されるすべての態様は、好ましいまたは有利であると解釈されてはならない。
【０１０４】
したがって、本件明細書では切換えシステムの諸態様が例示され説明されているものの、その要旨または本質的特質から外れることなく、諸態様に様々な変更を加えることができるということが正しく認識されるだろう。したがって、本件明細書における開示と説明は、本発明の範囲を例示するものであって、限定するものではなく、その範囲は、以下の請求項において記述される。
【図１】
2010524344.tif 000003
【図２】
2010524344.tif 000004
【図３】
2010524344.tif 000005
【図４】
2010524344.tif 000006
【図５】
2010524344.tif 000007
【図６】
2010524344.tif 000008
【図７】
2010524344.tif 000009
【図８】
2010524344.tif 000010
【図９】
2010524344.tif 000011
【図１０】
2010524344.tif 000012
【図１１】
2010524344.tif 000013
【図１２】
2010524344.tif 000014
【図１３】
2010524344.tif 000015
【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
マルチ周波数ネットワークにおけるRFチャネル切換えのための方法であって、
前記マルチ周波数ネットワークにおけるローカルエリア・オペレーション・インフラストラクチャー（LOI）を識別すること、
前記LOIに関連した各無線周波数（RF）チャネルに少なくとも1つの解読シーケンス識別子をそれぞれ関連させるチャネル記述メッセージ（CDM）を生成すること、ここにおいて、前記CDMは、異なる解読シーケンス識別子を前記LOIの異なるRFチャネルに関連させる、および
前記CDMを前記LOI上で配信すること
を具備する方法。
【請求項２】
前記生成することは、
複数のLOIにそれぞれに関連する複数のCDMメッセージを生成すること、および
前記複数のCDMメッセージをそれらに関係するLOIの上で配信すること
を具備する、請求項1に記載の方法。
【請求項３】
前記生成することは、ワイドエリア解読シーケンス識別子（WID）およびローカルエリア解読シーケンス識別子（LID）のうちの少なくとも1つを具備するCDMを生成することを具備する、請求項1に記載の方法。
【請求項４】
マルチ周波数ネットワークにおけるRFチャネル切換えのための装置であって、
前記マルチ周波数ネットワークにおけるローカルエリア・オペレーション・インフラストラクチャー（LOI）を識別し、および前記LOIに関連した各無線周波数（RF）チャネルに少なくとも1つの解読シーケンス識別子をそれぞれ関連させるチャネル記述メッセージ（CDM）を生成するように構成されたメッセージ論理と、ここにおいて、前記CDMは、異なる解読シーケンス識別子を前記LOIの異なるRFチャネルに関連させる、および
LOI上でCDMを配信するように構成されている出力論理と
を具備する装置。
【請求項５】
前記メッセージ論理は、複数のLOIにそれぞれ関連した複数のCDMメッセージを生成するように構成されている、請求項4に記載の装置。
【請求項６】
前記出力論理は、前記複数のCDMメッセージをそれらに関連したLOI上で配信するように構成されている、請求項5に記載の装置。
【請求項７】
前記メッセージ論理は、ワイドエリア解読シーケンスシーケンス識別子（WID）およびローカルエリア解読シーケンス識別子（LID）のうちの少なくとも1つを具備する前記CDMを生成するように構成されている、請求項4に記載の装置。
【請求項８】
マルチ周波数ネットワークにおけるRFチャネル切換えのための装置であって、
前記マルチ周波数ネットワークにおけるローカルエリア・オペレーション・インフラストラクチャー（LOI）を識別する手段、
前記LOIに関連した各々の無線周波数（RF）チャネルに少なくとも1つの解読シーケンス識別子をそれぞれ関連させるチャネル記述メッセージ（CDM）を生成する手段、ここにおいて、前記CDMは、異なる解読シーケンス識別子を前記LOIの異なるRFチャネルに関連させる、および
前記LOI上で前記CDMを配信する手段
を具備する装置。
【請求項９】
前記生成手段は、
複数のLOIにそれぞれに関連した複数のCDMメッセージを生成する手段、および
前記複数のCDMメッセージをそれらの関連したLOI上で配信する手段
を具備する、請求項8に記載の装置。
【請求項１０】
前記生成手段は、ワイドエリア解読シーケンス識別子（WID）およびローカルエリア解読シーケンス識別子（LID）のうちの少なくとも1つを具備する前記CDMを生成する手段を具備する、請求項8に記載の装置。
【請求項１１】
マルチ周波数ネットワークにおけるRFチャネル切換えのためのコンピュータプログラム製品であって、
前記マルチ周波数ネットワークにおけるローカルエリア・オペレーション・インフラストラクチャー（LOI）を識別し、および前記LOIに関連した各無線周波数（RF）チャネルに少なくとも1つの解読シーケンス識別子をそれぞれ関連させるチャネル記述メッセージ（CDM）を生成することをコンピュータにさせるために第1のコードセット、ここにおいて、前記CDMは、異なる解読シーケンス識別子を前記LOIの異なるRFチャネルに関連させる、および
前記CDMを前記LOI上で配信することを前記コンピュータにさせるための第2にコードセット
を具備する機械可読媒体を具備するコンピュータプログラム製品。
【請求項１２】
前記第1のコードセットは、複数のLOIにそれぞれ関連した複数のCDMメッセージを生成することを前記コンピュータにさせるように構成されている、請求項11に記載の機械可読媒体。
【請求項１３】
前記第2のコードセットは、前記複数のCDMメッセージをそれらの関連するLOI上で配信することを前記コンピュータにさせるように構成されている、請求項12に記載の機械可読媒体。
【請求項１４】
前記第1のコードセットは、ワイドエリア解読シーケンス識別子（WID）およびローカルエリア解読シーケンス識別子（LID）のうちの少なくとも1つを具備する前記CDMを生成するように構成されている、請求項11に記載の機械可読媒体。
【請求項１５】
マルチ周波数ネットワークにおけるRFチャネル切換えを実行するように構成されている少なくとも1つの集積回路であって、
前記マルチ周波数ネットワークにおけるローカルエリア・オペレーション・インフラストラクチャー（LOI）を識別し、および前記LOIに関連した各無線周波数（RF）チャネルに少なくとも1つの解読シーケンス識別子をそれぞれ関連させるチャネル記述メッセージ（CDM）を生成するように構成されている第1のモジュール、ここにおいて、前記CDMは、異なる解読シーケンス識別子を前記LOIの異なるRFチャネルに関連させる、および
前記CDMを前記LOI上で配信するように構成されている第2のモジュール
を具備する少なくとも1つの集積回路。
【請求項１６】
前記第1のモジュールは、複数のLOIにそれぞれ関連した複数のCDMメッセージを生成するように構成されている、請求項15に記載の少なくとも1つの集積回路。
【請求項１７】
前記第2のモジュールは、前記複数のCDMメッセージをそれらの関連したLOI上で配信するように構成されている、請求項16に記載の少なくとも1つの集積回路。
【請求項１８】
前記第1のモジュールは、ワイドエリア解読シーケンス識別子（WID）およびローカルエリア解読シーケンス識別子（LID）のうちの少なくとも1つを具備する前記CDMを生成するように構成されている、請求項15に記載の少なくとも1つの集積回路。
【請求項１９】
マルチ周波数ネットワークにおけるRFチャネル切換えのための方法であって、
ローカルエリア・オペレーション・インフラストラクチャー（LOI）において利用可能な各無線周波数（RF）チャネルに少なくとも1つの解読シーケンス識別子を関連させるチャネル記述メッセージ（CDM）を受信すること、ここにおいて、前記CDMは、異なる解読シーケンス識別子を前記LOIの異なるRFチャネルに関連させる、
選択されたRFチャネルを識別するRFチャネル切換えイベントを検出すること、
前記選択されたRFチャネルに基づいて、前記CDMから、選択された解読シーケンス識別子を決定すること、
前記選択されたRFチャネルに切換わること、ここにおいて、前記選択された解読シーケンス識別子は、前記選択されたRFチャネル上で搬送される希望のコンテンツを解読するために選択された解読シーケンスを識別する、および
前記選択されたRFチャネル上で希望のコンテンツを獲得すること、
を具備する方法。
【請求項２０】
前記受信することは、制御チャネル上で前記CDMを受信することを具備する、請求項19に記載の方法。
【請求項２１】
前記検出することは、前記希望のコンテンツに関するユーザー要求およびプログラム要求のうちの少なくとも1つによって前記RFチャネル切換えがトリガされるとき前記RFチャネル切換えイベントを検出することを具備する、請求項19に記載の方法。
【請求項２２】
前記検出することは、
前記希望のコンテンツを獲得せよという要求を受信すること、および
前記希望のコンテンツに基づいて、前記選択されたRFチャネルを決定すること
を具備する、請求項19に記載の方法。
【請求項２３】
前記選択された解読シーケンス識別子は、ワイドエリアシーケンス識別子（WID）およびローカルエリア・シーケンス識別子（LID）のうちの少なくとも1つを具備する、請求項19に記載の方法。
【請求項２４】
前記獲得することは、：
制御チャネルはまだ更新されていない、と決定すること、および
前記選択された解読シーケンス識別子によって識別される前記選択された解読シーケンスを使用して、前記希望のコンテンツを獲得すること、
を具備する、請求項19に記載の方法。
【請求項２５】
前記獲得することは、
制御チャネルはすでに更新されている、と決定すること、
更新されたCDMメッセージを受信すること、
前記希望のコンテンツを搬送する更新されたRFチャネルを決定すること、
前記更新されたRFチャネルに基づいて、前記更新されたCDMから、第2の選択された解読シーケンス識別子を決定すること、および
前記第2の選択された解読シーケンス識別子によって識別される第2の選択された解読シーケンスを使用して、前記更新されたRFチャネル上で前記希望のコンテンツを獲得すること
を具備する、請求項19に記載の方法。
【請求項２６】
マルチ周波数ネットワークにおけるRFチャネル切換えのための装置であって、
ローカル・オペレーション・インフラストラクチャー（LOI）において利用可能な各無線周波数（RF）チャネルに少なくとも1つの解読シーケンス識別子を関連させるチャネル記述メッセージ（CDM）を受信するように構成されている入力論理、ここにおいて、前記CDMは、異なる解読シーケンス識別子を前記LOIの異なるRFチャネルに関連させる、
選択されたRFチャネルを識別するRFチャネル切換えイベントを検出するように構成されている処理論理、
前記選択されたRFチャネルに基づいて、前記CDMから、選択された解読シーケンス識別子を決定するように構成されているメッセージ論理、および
前記選択されたRFチャネルに切換わるように構成されているチャネル切換え論理、ここにおいて、前記選択された解読シーケンス識別子は、前記選択されたRFチャネル上で搬送される希望のコンテンツを解読するため、および前記選択されたRFチャネル上で前記希望のコンテンツを獲得するために、選択された解読シーケンスを識別する、
を具備する装置。
【請求項２７】
前記入力論理は、前記CDMを制御チャネル上で受信するように構成されている、請求項26に記載の装置。
【請求項２８】
前記処理論理は、前記希望のコンテンツに関するユーザー要求およびプログラム要求のうちの少なくとも1つによって前記RFチャネル切換えがトリガされるとき前記RFチャネル切換えイベントを検出するように構成されている、請求項26に記載の装置。
【請求項２９】
前記処理論理は、前記希望のコンテンツを獲得せよという要求を受信し、かつ前記希望のコンテンツに基づいて、前記選択されたRFチャネルを決定するように構成されている、請求項26に記載の装置。
【請求項３０】
前記選択された解読シーケンス識別子は、ワイドエリア・シーケンス識別子（WID）およびローカルエリア・シーケンス識別子（LID）のうちの少なくとも1つを具備する、請求項26に記載の装置。
【請求項３１】
マルチ周波数ネットワークにおけるRFチャネル切換えのための装置であって、
ローカル・オペレーション・インフラストラクチャー（LOI）における利用可能な各無線周波数（RF）チャネルに少なくとも1つの解読シーケンス識別子を関連させるチャネル記述メッセージ（CDM）を受信する手段、ここにおいて、前記CDMは、異なる解読シーケンス識別子を前記LOIの異なるRFチャネルに関連させる、
選択されたRFチャネルを識別するチャネル切換えイベントを検出する手段、
前記選択されたRFチャネルに基づいて、前記CDMから、選択された解読シーケンス識別子を決定する手段、
前記選択されたRFチャネルに切換わるための手段、ここにおいて、前記選択された解読シーケンス識別子は、前記選択されたRFチャネル上で搬送される希望のコンテンツを解読するために、選択された解読シーケンスを識別する、および
前記選択されたRFチャネル上で前記希望のコンテンツを獲得する手段
を具備する装置。
【請求項３２】
前記受信手段は、前記CDMを制御チャネル上で受信する手段を具備する、請求項31に記載の装置。
【請求項３３】
前記検出手段は、前記希望のコンテンツに関するユーザー要求およびプログラム要求のうちの少なくとも1つによって前記チャネル切換えがトリガされるとき前記チャネル切換えイベントを検出する手段を具備する、請求項31に記載の装置。
【請求項３４】
前記検出手段は、  
前記希望のコンテンツを獲得せよとの要求を受信する手段、および
前記希望のコンテンツに基づいて、前記選択されたRFチャネルを決定する手段
を具備する、請求項31に記載の装置。
【請求項３５】
前記選択された解読シーケンス識別子は、ワイドエリア・シーケンス識別子（WID）およびローカルエリア・シーケンス識別子（LID）のうちの少なくとも1つを具備する、請求項31に記載の装置。
【請求項３６】
前記獲得手段は、
制御チャネルはまだ更新されていない、と決定する手段、および
前記選択された解読シーケンス識別子によって識別される前記選択された解読シーケンスを使用して、前記希望のコンテンツを獲得する手段
を具備する、請求項31に記載の装置。
【請求項３７】
前記獲得手段は、
制御チャネルはすでに更新されている、と決定する手段、
更新されたCDMメッセージを受信する手段、
前記希望のコンテンツを搬送する更新されたRFチャネルを決定する手段、
前記更新されたRFチャネルに基づいて、前記更新されたCDMから、第2の選択された解読シーケンス識別子を決定する手段、および
前記第2の選択された解読シーケンス識別子によって識別される第2の選択された解読シーケンスを使用して、前記更新されたRFチャネル上で前記希望のコンテンツを獲得する手段
を具備する、請求項31に記載の装置。
【請求項３８】
マルチ周波数ネットワークにおけるRFチャネル切換えのためのコンピュータプログラム製品であって、
ローカル・オペレーション・インフラストラクチャー（LOI）における利用可能な各無線周波数（RF）チャネルに少なくとも1つの解読シーケンス識別子を関連させるチャネル記述メッセージ（CDM）を受信することをコンピュータにさせるための第1のコードセット、ここにおいて、前記CDMは、異なる解読シーケンス識別子を前記LOIの異なるRFチャネルに関連させる、
選択されたRFチャネルを識別するRFチャネル切換えイベントを検出することをコンピュータにさせるための第2のコードセット、
前記選択されたRFチャネルに基づいて、前記CDMから、選択された解読シーケンス識別子を決定することをコンピュータにさせるための第3のコードセット、
前記選択されたRFチャネルに切換わることをコンピュータにさせるための第4のコードセット、ここにおいて、前記選択された解読シーケンス識別子は、前記選択されたRFチャネル上で搬送される希望のコンテンツを解読するために、選択された解読シーケンスを識別する、および
前記選択されたRFチャネル上で希望のコンテンツを獲得することをコンピュータにさせるための第5のコードセット
を具備する機械可読媒体を具備するコンピュータプログラム製品。
【請求項３９】
前記第1のコードセットは、前記CDMを制御チャネル上で受信することをコンピュータにさせるように構成されている、請求項38に記載の機械可読媒体。
【請求項４０】
前記第2のコードセットは、前記希望のコンテンツに関するユーザー要求およびプログラム要求のうちの少なくとも1つによって前記チャネル切換えがトリガされるとき前記チャネル切換えイベントを検出することをコンピュータにさせるように構成されている、請求項38に記載の機械可読媒体。
【請求項４１】
前記第2のコードセットは、前記希望のコンテンツを獲得せよとの要求を受信し、前記希望のコンテンツに基づいて、前記選択されたRFチャネルを決定することをコンピュータにさせるように構成されている、請求項38に記載の機械可読媒体。
【請求項４２】
前記選択された解読シーケンス識別子は、ワイドエリア・シーケンス識別子（WID）およびローカルエリア・シーケンス識別子（LID）のうちの少なくとも1つを具備する、請求項38に記載の機械可読媒体。
【請求項４３】
前記第5のコードセットは、
制御チャネルはまだ更新されていない、と決定すること、および
前記選択された解読シーケンス識別子によって識別される前記選択された解読シーケンスを使用して、前記希望のコンテンツを獲得すること
をコンピュータにさせるように構成されている、請求項38に記載の機械可読媒体。
【請求項４４】
前記第5のコードセットは、
制御チャネルはすでに更新されている、と決定すること、
更新されたCDMメッセージを受信する；
前記希望のコンテンツを搬送する更新されたRFチャネルを決定すること、
前記更新されたRFチャネルに基づいて、前記更新されたCDMから第2の選択された解読シーケンス識別子を決定すること、および
前記第2の選択された解読シーケンス識別子によって識別される第2の選択された解読シーケンスを使用して、前記更新されたRFチャネル上で前記希望のコンテンツを獲得すること
をコンピュータにさせるように構成されている、請求項38に記載の機械可読媒体。
【請求項４５】
マルチ周波数ネットワークにおけるRFチャネル切換えのための方法を実行するように構成されている少なくとも1つの集積回路であって、
ローカル・オペレーション・インフラストラクチャー（LOI）における利用可能な各無線周波数（RF）チャネルに少なくとも1つの解読シーケンス識別子を関連させるチャネル記述メッセージ（CDM）を受信するように構成されている第1のモジュール、
選択されたRFチャネルを識別するチャネル切換えイベントを検出するように構成されている第2のモジュール、
前記選択されたRFチャネルに基づいて、前記CDMから、選択された解読シーケンス識別子を決定するように構成されている第3のモジュール、
前記選択されたRFチャネルに切換わるように構成されている第4のモジュール、ここにおいて、前記選択された解読シーケンス識別子は、前記選択されたRFチャネル上で搬送される希望のコンテンツを解読するために、選択された解読シーケンスを識別する、および
前記選択されたRFチャネル上で前記希望のコンテンツを獲得するように構成されている第5のモジュール。
を具備する少なくとも1つの集積回路。
【請求項４６】
前記第1のモジュールは、前記CDMを制御チャネル上で受信するように構成されている、請求項45に記載の少なくとも1つの集積回路。
【請求項４７】
前記第2のモジュールは、前記希望のコンテンツに関するユーザー要求およびプログラム要求のうちの少なくとも1つによって前記チャネル切換えがトリガされるとき前記チャネル切換えイベントを検出するように構成されている、請求項45に記載の少なくとも1つの集積回路。
【請求項４８】
前記第2のモジュールは、前記希望のコンテンツを獲得せよとの要求を受信し、前記希望のコンテンツに基づいて、前記選択されたRFチャネルを決定するように構成されている、請求項45に記載の少なくとも1つの集積回路。
【請求項４９】
前記選択された解読シーケンス識別子は、ワイドエリア・シーケンス識別子（WID）およびローカルエリア・シーケンス識別子（LID）のうちの少なくとも1つを具備する、請求項45に記載の少なくとも1つの集積回路。
【請求項５０】
前記第5のモジュールは、
制御チャネルはまだ更新されていないと決定し、および
前記選択された解読シーケンス識別子によって識別される前記選択された解読シーケンスを使用して、前記希望のコンテンツを獲得する
ように構成されている、請求項45に記載の少なくとも1つの集積回路。
【請求項５１】
前記第5のモジュールは、
制御チャネルはすでに更新されていると決定し、
更新されたCDMメッセージを受信し、
前記希望のコンテンツを搬送する更新されたRFチャネルを決定し、
前記更新されたRFチャネルに基づいて、前記更新されたCDMから第2の選択された解読シーケンス識別子を決定し、および
前記第2の選択された解読シーケンス識別子によって識別される第2の選択された解読シーケンスを使用して、前記更新されたRFチャネル上で前記希望のコンテンツを獲得する
ように構成されている、請求項45に記載の少なくとも1つの集積回路。
【国際調査報告】
2010524344.tif 000016
2010524344.tif 000017
2010524344.tif 000018